(57)【要約】【課題】運転者に的確に情報を伝えることが可能な車両用表示装置を提供することである。【解決手段】本発明にかかる車両用表示装置１は、少なくとも車両の運行に用いる運行情報２１を表示する表示パネル１５と、車両の走行情報２２を取得する情報取得部１１と、走行情報２２に基づき、車両の運転者による表示パネル１５の視認時間が短くなる走行状態であるか否かを判断する判断部１２と、判断部１２が車両の運転者による表示パネル１５の視認時間が短くなる走行状態であると判断した場合、表示パネル１５に表示されている表示形態を、仮想的な奥行表現を抑制した表示となるように制御する表示制御部１３と、を備える。【選択図】図１
2016206029.tif 000002
【特許請求の範囲】
【請求項１】
少なくとも車両の運行に用いる運行情報を表示する表示パネルと、
前記車両の走行情報を取得する情報取得部と、
前記走行情報に基づき、前記車両の運転者による前記表示パネルの視認時間が短くなる走行状態であるか否かを判断する判断部と、
前記判断部が前記車両の運転者による前記表示パネルの視認時間が短くなる走行状態であると判断した場合、前記表示パネルに表示されている表示形態を、仮想的な奥行表現を抑制した表示となるように制御する表示制御部と、を備える、
車両用表示装置。
【請求項２】
前記情報取得部は、前記車両の走行速度情報を前記走行情報として取得し、
前記判断部は、前記車両の走行速度情報が所定の走行速度よりも速い走行速度を示している場合に、前記車両の運転者による前記表示パネルの視認時間が短くなる走行状態であると判断する、
請求項１に記載の車両用表示装置。
【請求項３】
前記表示制御部は、前記判断部が前記車両の運転者による前記表示パネルの視認時間が短くなる走行状態であると判断した場合、前記車両の走行速度が速くなるほど前記表示パネルに表示されている表示形態の仮想的な奥行表現を次第に抑制するように、前記表示パネルに表示する表示形態を制御する、
請求項２に記載の車両用表示装置。
【請求項４】
前記情報取得部は、前記車両の現在位置情報および地図情報に基づく走行中の走行路情報を前記走行情報として取得し、
前記判断部は、前記情報取得部が取得した走行中の走行路情報が、前記車両の運転者による前記表示パネルの視認時間が短くなる走行状態となる走行路であると判断する、
請求項１に記載の車両用表示装置。
【請求項５】
前記情報取得部は、前記車両の現在位置情報および地図情報に基づく走行予定の走行路情報を前記走行情報として取得し、
前記判断部は、前記情報取得部が取得した走行予定の走行路情報が、前記車両の運転者による前記表示パネルの視認時間が短くなる走行状態となる走行路であると判断する、
請求項１に記載の車両用表示装置。
【請求項６】
前記表示制御部は、表示対象となる表示オブジェクトに陰影を用いることにより仮想的な奥行を表現し、前記陰影の効果を低減することで仮想的な奥行表現を抑制するように、前記表示パネルに表示する表示形態を制御する、
請求項１から請求項５のいずれか１項に記載の車両用表示装置。
【請求項７】
前記表示制御部は、仮想的な奥行表現を抑制した表示として、仮想的な奥行表現を行わない表示が含まれるように、前記表示パネルに表示する表示形態を制御する、
請求項１から請求項６のいずれか１項に記載の車両用表示装置。
【請求項８】
少なくとも車両の運行に用いる運行情報を仮想的な奥行表現を用いて表示パネルに表示し、
車両の走行情報を取得し、
前記走行情報に基づき、前記車両の運転者による前記表示パネルの視認時間が短くなる走行状態であるか否かを判断し、
前記車両の運転者による前記表示パネルの視認時間が短くなる走行状態であると判断した場合、前記表示パネルに表示されている表示形態を、仮想的な奥行表現を抑制した表示となるように制御する、
表示パネルの制御方法。
【発明の詳細な説明】
【技術分野】
【０００１】
本発明は車両用表示装置、及び表示パネルの制御方法に関し、特に車両の運行情報を表示する車両用表示装置、及び表示パネルの制御方法に関する。
【背景技術】
【０００２】
近年、自動車等のインストルメントパネルが機械式メータから液晶パネル等を用いた表示に移行しつつある。液晶パネル等を用いた車両用表示装置では多様な表示が可能であり、表示形態を変化させたり、装飾的な表示をしたりすることも可能である。特許文献１には、メータ画像を目立つように表示することで、必要な情報を運転者に確実に通知することが可能な車両用表示装置が開示されている。
【先行技術文献】
【特許文献】
【０００３】
【特許文献１】特開２０１５−０１７８１０号公報
【発明の概要】
【発明が解決しようとする課題】
【０００４】
背景技術で説明したように、近年、自動車等のインストルメントパネルが機械式メータから液晶パネル等を用いた表示に移行しつつある。表示パネルを用いた車両用表示装置では多様な表示が可能であり、車両の運行に用いる運行情報（速度メータなど）を仮想的に立体感を表現した表示とすることで、機械式メータが持つ立体感を表現したり、美的表現の優れた表示とすることができる。
【０００５】
しかしながら、インストルメントパネルに表示される表示オブジェクトに対して立体感のある表示とした場合は、運行情報の表示形態が複雑になる。このため、高速走行時など運転者が表示パネルを見る時間が短くなる状況では、運転者に的確に情報を伝えることができないという問題がある。
【０００６】
上記課題に鑑み本発明の目的は、運転者に的確に情報を伝えることが可能な車両用表示装置、及び表示パネルの制御方法を提供することである。
【課題を解決するための手段】
【０００７】
本発明にかかる車両用表示装置は、少なくとも車両の運行に用いる運行情報を表示する表示パネルと、前記車両の走行情報を取得する情報取得部と、前記走行情報に基づき、前記車両の運転者による前記表示パネルの視認時間が短くなる走行状態であるか否かを判断する判断部と、前記判断部が前記車両の運転者による前記表示パネルの視認時間が短くなる走行状態であると判断した場合、前記表示パネルに表示されている表示形態を、仮想的な奥行表現を抑制した表示となるように制御する表示制御部と、を備える。
【０００８】
本発明にかかる表示パネルの制御方法は、少なくとも車両の運行に用いる運行情報を仮想的な奥行表現を用いて表示パネルに表示し、車両の走行情報を取得し、前記走行情報に基づき、前記車両の運転者による前記表示パネルの視認時間が短くなる走行状態であるか否かを判断し、前記車両の運転者による前記表示パネルの視認時間が短くなる走行状態であると判断した場合、前記表示パネルに表示されている表示形態を、仮想的な奥行表現を抑制した表示となるように制御する。
【発明の効果】
【０００９】
本発明により、運転者に的確に情報を伝えることが可能な車両用表示装置、及び表示パネルの制御方法を提供することができる。
【図面の簡単な説明】
【００１０】
【図１】実施の形態１にかかる車両用表示装置の一例を示すブロック図である。
【図２】実施の形態１にかかる車両用表示装置が備える表示パネルの表示例を示す図である。
【図３】実施の形態１にかかる表示オブジェクトの表示例を示す図である。
【図４】実施の形態１にかかる車両用表示装置の動作を説明するためのフローチャートである。
【図５】実施の形態１にかかる車両表示装置の動作を説明するための図である。
【図６Ａ】実施の形態１にかかる車両用表示装置の動作を説明するための図である。
【図６Ｂ】実施の形態１にかかる車両用表示装置の動作を説明するための図である。
【図６Ｃ】実施の形態１にかかる車両用表示装置の動作を説明するための図である。
【図６Ｄ】実施の形態１にかかる車両用表示装置の動作を説明するための図である。
【図７】実施の形態２にかかる車両用表示装置の動作を説明するためのフローチャートである。
【図８】実施の形態３にかかる車両用表示装置の動作を説明するためのフローチャートである。
【発明を実施するための形態】
【００１１】
＜実施の形態１＞
以下、図面を参照して本発明の実施の形態について説明する。
図１は、実施の形態１にかかる車両用表示装置の一例を示すブロック図である。図１に示すように、本実施の形態にかかる車両用表示装置１は、情報取得部１１、判断部１２、表示制御部１３、及び表示パネル１５を備える。ここで、情報取得部１１、判断部１２、及び表示制御部１３は、車両用表示装置１および表示パネル１５を制御する制御部１０を構成しており、制御部１０はＣＰＵ（Central Processing Unit）等で実現される。本実施の形態にかかる車両用表示装置１は、車両の速度、エンジンの回転数、シフトポジションなど、少なくとも車両の運行に必要な情報を表示する表示装置であり、一般的にインストルメントパネルやクラスターパネルなどと呼ばれる。
【００１２】
情報取得部１１は、運行情報２１と走行情報２２とを取得する。ここで、運行情報２１とは車両の運行に必要な情報であり、例えば、車両の速度情報、エンジンの回転数情報、シフトポジション情報、油温情報、燃料の残量情報、エンジンの冷却水の水温情報などの各種パラメータである。なお、運行情報２１には、車両の運行に必要な情報以外に、補助的な情報も含まれていてもよい。補助的な情報とは、例えば、気候情報、日時情報、走行距離情報（トリップメータ、オドメータ）、ナビゲーション情報などである。また、上記で示した運行情報２１は一例であり、運行情報２１には上記以外の情報が含まれていてもよい。
【００１３】
判断部１２は、情報取得部１１で取得した走行情報に基づき、ユーザである車両の運転者による前記表示パネルの視認時間が短くなる走行状態であるか否かを判断する。例えば、判断部１２は、情報取得部１１で取得した車両の走行速度情報が所定の走行速度よりも速い走行速度を示している場合に、車両の運転者による前記表示パネルの視認時間が短くなる走行状態であると判断する。「車両の運転者による前記表示パネルの視認時間が短くなる走行状態」とは、例えば、走行速度の速い走行状態など、車外の状況の変化が急峻でありインストルメントパネルを視認する時間的な余裕が少なくなるような状態である。
【００１４】
表示制御部１３は、表示パネル１５の表示を制御する。具体的には、表示制御部１３は、情報取得部１１が取得した運行情報２１としての各種パラメータを、予め設定された表示形態に基づき、表示パネル１５に表示する。
【００１５】
表示パネル１５は、少なくとも車両の運行に用いる運行情報２１を含む情報を表示する。表示パネル１５には、例えば液晶パネルや有機ＥＬ（Electroluminescence）パネルを用いることができる。図２は、表示パネル１５の表示例を示す図である。図２に示すように、表示パネル１５には、車両の速度情報３０、エンジンの回転数情報３１、シフトポジション情報３２、油温情報３３、燃料の残量情報３４、冷却水の水温情報３５、気候情報３６、及び日時情報３７などの表示オブジェクトが表示されている。図２に示す表示例では、速度情報３０、回転数情報３１、及びシフトポジション情報３２を仮想的な立体感が得られるように、仮想的な奥行表現のある表示形態で表示している場合を示している。なお、表示パネル１５に立体感のある表示とする情報はユーザが任意に決定することができる。
【００１６】
また、図２では、表示オブジェクトの立体感を表現するための仮想的な奥行表現を奥行き量Ｄとして図示している。実際には、表示制御部１３は表示パネル１５に、２次元表示される表示オブジェクトに対し仮想光源からの陰影や反射光等を表現することで、仮想的に立体感のある表示を行う。なお、本発明においては、仮想的な奥行表現の表現手法は特に限定されることはなく、任意の手法を用いることができる。後述する図６Ａ〜図６Ｄについても同様である。
【００１７】
図３に、表示パネル１５に表示される表示オブジェクトの例として、速度情報３０および回転数情報３１の表示例を示す。図３においては、回転数情報３１を構成する外周枠３１１に、外周枠３１１が奥行き量Ｄの立体であると仮定した場合に仮想光源Ｃからの光によって生成される陰影３１２を表示した例である。陰影の付加は、回転数情報３１を構成する外周枠３１１に限らずパラメータの表示等他の構成要素や、速度情報３０を示す数値に対して陰影を付加してもよい。
【００１８】
図３のような表示形態においては、仮想的な奥行表現の奥行き量は、陰影の幅やコントラストによって奥行表現の拡大や抑制を表現可能である。例えば、仮想的な奥行表現量を大きくする場合、つまり立体感をより強調した表示とする場合は、陰影の幅を大きく表示する。また、陰影の最暗部と最明部とのコントラストを大きく表示してもよい。また、仮想的な奥行き量を抑制する場合、つまり立体感を抑制した表示とする場合は、陰影の幅を狭く表示する。また、陰影の最暗部と最明部とのコントラストを小さく表示してもよい。このような表示形態の場合の陰影の幅は、図２および図６Ａ〜図６Ｄに示す奥行き量Ｄ１〜Ｄ４に該当する。
【００１９】
そして、本実施の形態にかかる車両用表示装置１では、判断部１２が車両の運転者による前記表示パネルの視認時間が短くなる走行状態であると判断した場合、表示制御部１３は、表示パネル１５の表示形態が仮想的な奥行表現を抑制した表示となるように表示パネル１５の表示を制御している。以下、本実施の形態にかかる車両用表示装置１の動作について詳細に説明する。
【００２０】
図４は、本実施の形態にかかる車両用表示装置１の動作を説明するためのフローチャートである。図４に説明する動作の前提としては、車両用表示装置１が搭載されている車両が動作しており、表示制御部１３が表示パネル１５に少なくとも運行情報２１を表示している状態である。図４に示すように、まず、情報取得部１１は、現在の車両の走行状態に関する情報である走行情報２２を取得する（ステップＳ１）。具体的には、情報取得部１１は走行情報２２として車両の走行速度を示す情報を、走行速度の変化に対応できる任意の時間間隔での取得を継続する。次に、判断部１２は、情報取得部１１で取得した車両の速度が第１の速度範囲か否か判断する（ステップＳ２）。第１の速度範囲は任意に設定することができる。一例として、第１の速度範囲を０〜６０ｋｍ／ｈとする。
【００２１】
情報取得部１１で取得した車両の速度が第１の速度範囲である場合、判断部１２は、車両の運転者による前記表示パネル１５の視認時間が短くなる走行状態ではないと判断する（ステップＳ２：Ｙｅｓ）。この場合、表示制御部１３は、表示パネル１５に表示されている表示オブジェクトに対する仮想的な奥行表現の奥行き量をＤ１とする（ステップＳ３）。つまり、図６Ａに示すように、表示制御部１３は、各々の情報３０〜３２を立体感のある表示とする際に、各々の情報３０〜３２の奥行き量Ｄ１が大きくなるように表示する。
【００２２】
一方、情報取得部１１で取得した車両の速度が第１の速度範囲ではない場合、判断部１２は、車両の運転者による前記表示パネル１５の視認時間が短くなる走行状態であると判断する（ステップＳ２：Ｎｏ）。この場合、表示制御部１３は、表示パネル１５に仮想的な奥行表現を用いた表示オブジェクトの表示に対して、仮想的な奥行表現を抑制した表示となるような表示を行う。ここで、「仮想的な奥行表現を抑制した表示」とは、表示オブジェクトを立体感のある表示とする奥行き量Ｄ（図２参照）が小さくなるように表示することを意味する。例えば、陰影を用いて仮想的な奥行表現を行っている場合、表示制御部１３は、陰影の幅を狭くすることで立体感を抑制することができる。
【００２３】
判断部１２は、情報取得部１１で取得した車両の速度が第２の速度範囲であるか否かを判断する（ステップＳ４）。第２の速度範囲は任意に設定することができる。一例として、第２の速度範囲を６１〜８０ｋｍ／ｈとする。そして、情報取得部１１で取得した車両の速度が第２の速度範囲である場合（ステップＳ４：Ｙｅｓ）、表示制御部１３は、表示パネル１５に表示されている表示オブジェクトの奥行き量をＤ２とする（ステップＳ５）。ここで、奥行き量Ｄ２は奥行き量Ｄ１よりも小さい値である（Ｄ２＜Ｄ１）。よって、図６Ｂに示すように、表示制御部１３は、各々の情報３０〜３２を立体感のある表示とする際に、図６Ａに示した場合（奥行き量Ｄ１）よりも立体感を抑制することができる。
【００２４】
一方、情報取得部１１で取得した車両の速度が第２の速度範囲でない場合（ステップＳ４：Ｎｏ）、判断部１２は、情報取得部１１で取得した車両の速度が第３の速度範囲であるか否かを判断する（ステップＳ６）。第３の速度範囲は任意に設定することができる。一例として、第３の速度範囲を８１〜１００ｋｍ／ｈとする。そして、情報取得部１１で取得した車両の速度が第３の速度範囲である場合（ステップＳ６：Ｙｅｓ）、表示制御部１３は、表示パネル１５に表示されている表示オブジェクトの奥行き量をＤ３とする（ステップＳ７）。ここで、奥行き量Ｄ３は奥行き量Ｄ２よりも小さい値である（Ｄ３＜Ｄ２）。よって、図６Ｃに示すように、表示制御部１３は、各々の情報３０〜３２を立体感のある表示とする際に、図６Ｂに示した場合（奥行き量Ｄ２）よりも立体感を抑制することができる。
【００２５】
また、情報取得部１１で取得した車両の速度が第３の速度範囲でない場合（ステップＳ６：Ｎｏ）、具体的には、車両の速度が１０１ｋｍ／ｈ以上の場合、表示制御部１３は、表示パネル１５に表示されている表示オブジェクトの奥行き量をＤ４とする（ステップＳ８）。ここで、奥行き量Ｄ４は奥行き量Ｄ３よりも小さい値である（Ｄ４＜Ｄ３）。よって、図６Ｄに示すように、表示制御部１３は、各々の情報３０〜３２を表示する際に、図６Ｃに示した場合（奥行き量Ｄ３）よりも立体感を抑制することができる。なお、図６Ｄに示す表示例は奥行き量Ｄ４が０の場合、つまり表示オブジェクトの仮想的な奥行表現を行わず平面的に表示した場合を示している。
【００２６】
また、図６Ａ〜図６Ｄに示した表示例では、表示パネル１５に表示されている表示オブジェクトの仮想的な奥行き量が車両の速度に応じてＤ１〜Ｄ４の４段階で変化する場合について説明した。しかし、本実施の形態では、奥行き量の変化の段階が５段階以上で変化するように構成してもよく、また、２段階または３段階で変化するように構成してもよい。また、図５に示すように、車両の速度が速くなるほど奥行き量が次第に低減するように構成してもよい。
【００２７】
図５に示す例は、例えば走行速度が０ｋｍ／ｈ以上５０ｋｍ／ｈまでは、仮想的な奥行表現量を１００％としている。この場合の１００％とは、例えば図６Ａに示す奥行き量Ｄ１である。また、走行速度が５１ｋｍ／ｈ以上１００ｋｍ／ｈまでは、走行速度に応じて徐々に仮想的な奥行表現量を抑制する。図５の例においては、走行速度が１００ｋｍ／ｈ以上では仮想的な奥行表現量を０％としているが、０％に限らず５％や１０％など、仮想的な奥行表現が抑制され、運転者が短時間に的確に視認できる奥行表現量であればよい。また、仮想的な奥行表現量が１００％から０％までの推移は、走行速度に正比例した直線に限らず、曲線や指数関数などでもよい。さらには、仮想的な奥行表現量の抑制が開始される走行速度は、５０ｋｍ／ｈに限らず、さらに低い走行速度やさらに高い走行速度であってもよい。
【００２８】
以上で説明した本実施の形態にかかる発明により、運転者に的確に情報を伝えることが可能な車両用表示装置、及び表示パネルの制御方法を提供することができる。具体的には、所定未満の走行速度による走行時は、仮想的な奥行表現のある表示を行うことで装飾的な表示を行い、高速走行時は仮想的な奥行表現を抑制した表示、または仮想的な奥行表現を行わない表示とする。所定速度以上の走行速度で走行する場合、所定速度未満の走行速度での走行時に比べて、運転者は車外の目視、特に進行方向の目視により集中しなければならない。このために、運転者は表示パネル１５の視認時間が短くなるため、仮想的な奥行表現を抑制した表示とすることで、より短時間で適切に表示パネル１５に表示される情報を目視可能とすることができる。
【００２９】
表示パネル１５には、上述したように様々な情報が表示されるが、車両の運転者による表示パネル１５の視認時間が短くなる走行状態において、最も必要とされる情報としては、速度情報３０、回転数情報３１またはシフトポジション情報３２のいずれかまたはこれらの組合せである。従って、少なくともこれらの情報の表示に本発明を適用することが望ましい。
【００３０】
＜実施の形態２＞
次に、本発明の実施の形態２について説明する。本実施の形態にかかる車両用表示装置は、実施の形態１で説明した車両用表示装置と比べて判断部１２における動作、つまり判断部１２が車両の運転者による前記表示パネル１５の視認時間が短くなる走行状態であると判断する際の基準が異なる。これ以外は実施の形態１で説明した車両用表示装置と同様であるので重複した説明は省略する。
【００３１】
図７は、本実施の形態にかかる車両用表示装置の動作を説明するためのフローチャートである。図７に示すように、まず、情報取得部１１（図１参照）は走行情報２２を取得する。具体的には、情報取得部１１は走行情報２２として車両の現在位置情報および地図情報に基づく走行中の走行路情報を取得する（ステップＳ１１）。本実施形態においては、情報取得部１１は、車両の現在位置情報および地図情報に基づき走行中の走行路情報を取得する例とした。情報取得部１１が取得する情報は、これらの例に限らず、例えばＥＴＣ（Electronic Toll Collection System）による高速道路等のゲート通過情報や、ＤＳＲＣ（Dedicated Short-Range Communication）、ＶＩＣＳ（Vehicle Information and Communication System：登録商標）などによって取得する情報を用いてもよい。
【００３２】
その後、判断部１２は、情報取得部１１が取得した走行中の走行路情報が車両の運転者による前記表示パネル１５の視認時間が短くなる走行状態となる走行路であるか否かを判断する（ステップＳ１２）。
【００３３】
現在走行中の走行路が、車両の運転者による前記表示パネル１５の視認時間が短くなる走行路ではないと判断部１２が判断した場合（ステップＳ１２：Ｎｏ）、表示制御部１３は、表示パネル１５に表示されている表示オブジェクトを立体的に表現するための仮想的な奥行表現を用いた表示状態を保持する（ステップＳ１３）。例えば、車両が一般道を走行している場合、判断部１２は車両の運転者による前記表示パネル１５の視認時間が短くなる走行路ではないと判断する。
【００３４】
一方、現在走行中の走行路が、車両の運転者による前記表示パネル１５の視認時間が短くなる走行路であると判断部１２が判断した場合（ステップＳ１２：Ｙｅｓ）、表示制御部１３は、表示パネル１５に表示されている表示オブジェクトを立体的に表現するための仮想的な奥行表現を抑制した表示とする（ステップＳ１４）。具体的には、表示パネル１５に表示されている表示オブジェクトの奥行き量を低減した表示とする。または、表示オブジェクトを表示パネル１５に平面的に表示する。なお、仮想的な奥行表現を抑制した表示とする方法については、実施の形態１で説明した場合と同様である。
【００３５】
例えば、判断部１２は、車両の現在位置が高速道路やサーキットなど高速で走行可能な走行路を走行中であると判断した場合、車両の運転者による前記表示パネルの視認時間が短くなる走行路であると判断する。また、判断部１２は、車両の現在位置が峠などの所定の曲率のコーナーが連続する走行路を走行していると判断した場合、車両の運転者による前記表示パネルの視認時間が短くなる走行路であると判断する。判断部１２が車両の運転者による前記表示パネルの視認時間が短くなる走行路と判断する条件は、上述した例に限らない。
【００３６】
以上で説明した本実施の形態にかかる車両用表示装置では、車両の現在位置情報と地図情報とに基づいて、車両が現在走行中の走行路が、車両の運転者による前記表示パネルの視認時間が短くなる走行路であるか否かを判断している。よって、車両が実際に走行している走行路の種類に応じて、表示パネルに表示される表示オブジェクトの立体感を変更することができ、運転者に的確に運行情報を伝えることが可能になる。
【００３７】
＜実施の形態３＞
次に、本発明の実施の形態３について説明する。本実施の形態にかかる車両用表示装置は、実施の形態１で説明した車両用表示装置と比べて判断部１２における動作、つまり判断部１２が車両の運転者による前記表示パネル１５の視認時間が短くなる走行状態であると判断する際の基準が異なる。これ以外は実施の形態１で説明した車両用表示装置と同様であるので重複した説明は省略する。
【００３８】
図８は、本実施の形態にかかる車両用表示装置の動作を説明するためのフローチャートである。図８に示すように、まず、情報取得部１１（図１参照）は走行情報２２を取得する。具体的には、情報取得部１１は走行情報２２として車両の現在位置情報および地図情報に基づく走行予定の走行路情報を取得する（ステップＳ２１）。走行予定の走行路情の取得は、実施の形態２と同様であるが、本実施形態においては車両の運転者による前記表示パネル１５の視認時間が短くなる走行状態となる走行路に進入する前に判断部１２が判断可能なように、走行予定の走行路情報を取得する。
【００３９】
その後、判断部１２は、これから走行する予定の走行路が、車両の運転者による前記表示パネル１５の視認時間が短くなる走行状態の走行路であるか否かを判断する（ステップＳ２２）。例えば、判断部１２は、車両がこれから高速道路に進入する際に、走行予定の走行路が、車両の運転者による前記表示パネル１５の視認時間が短くなる走行路であると判断する。また、判断部１２は、車両がこれから峠などの所定の曲率のコーナーが連続する走行路などに進入する際に、走行予定の走行路が車両の運転者による前記表示パネル１５の視認時間が短くなる走行路であると判断する。走行予定とする条件は、例えば進行方向の所定距離未満内から車両の運転者による前記表示パネル１５の視認時間が短くなる走行路が連続している場合、または予め設定した走行経路において、所定距離未満内に車両の運転者による前記表示パネル１５の視認時間が短くなる走行路に進入予定である場合などである。ここでいう所定距離は任意であるが、１０ｍや２０ｍなどであることが適切である。
【００４０】
走行予定の走行路が、車両の運転者による前記表示パネル１５の視認時間が短くなる走行路ではないと判断部１２が判断した場合（ステップＳ２２：Ｎｏ）、ステップＳ２１〜Ｓ２２の動作を繰り返す。一方、走行予定の走行路が、車両の運転者による前記表示パネル１５の視認時間が短くなる走行路である場合、判断部１２は、車両がこの走行路に進入後に車両の運転者による前記表示パネル１５の視認時間が短くなる走行状態となると判断する（ステップＳ２２：Ｙｅｓ）。表示制御部１３は、車両がこの走行路に進入する際に、表示パネル１５に表示されている表示オブジェクトの表示を、仮想的な奥行表現を抑制した表示となるように制御する（ステップＳ２３）。具体的には、表示パネル１５に表示されている表示オブジェクトの奥行き量を低減した表示とする。または、表示オブジェクトを表示パネル１５に平面的に表示する。なお、仮想的な奥行表現を抑制した表示とする方法については、実施の形態１で説明した場合と同様である。
【００４１】
その後、判断部１２は、車両が、車両の運転者による前記表示パネル１５の視認時間が短くなる走行路から退出したか否かを判断する（ステップＳ２４）。車両が、車両の運転者による前記表示パネル１５の視認時間が短くなる走行路の走行を続けている場合（ステップＳ２４：Ｎｏ）、ステップＳ２４の動作を繰り返す。一方、車両が、車両の運転者による前記表示パネル１５の視認時間が短くなる走行路から退出した場合（ステップＳ２４：Ｙｅｓ）、表示制御部１３は、表示パネル１５に表示されている表示オブジェクトの表示形態を仮想的な奥行表現を用いた表示となるように制御する（ステップＳ２５）。なお、表示オブジェクトの表示を仮想的な奥行表現を用いた表示とする方法については、実施の形態１で説明した場合と同様である。
【００４２】
以上で説明した本実施の形態にかかる車両用表示装置では、車両の現在位置情報と地図情報とに基づいて、車両が走行予定の走行路が、車両の運転者による前記表示パネルの視認時間が短くなる走行路であるか否かを判断している。よって、車両が実際に走行する走行路の種類に応じて、表示パネルに表示される表示オブジェクトの立体感を変更することができ、運転者に的確に運行情報を伝えることが可能になる。
【００４３】
以上、本発明を上記実施の形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００４４】
１  車両用表示装置
１０  制御部
１１  情報取得部
１２  判断部
１３  表示制御部
１５  表示パネル
２１  運行情報
２２  走行情報
【図１】
2016206029.tif 000003
【図２】
2016206029.tif 000004
【図４】
2016206029.tif 000005
【図５】
2016206029.tif 000006
【図６Ａ】
2016206029.tif 000007
【図６Ｂ】
2016206029.tif 000008
【図６Ｃ】
2016206029.tif 000009
【図６Ｄ】
2016206029.tif 000010
【図７】
2016206029.tif 000011
【図８】
2016206029.tif 000012
【図３】
2016206029.tif 000013